(57)【要約】【課題】建造物の構造或いは窓の構造から、サッシ上枠上面板（３）が基端部に挟持用装着部を有するすだれ吊り下げ具（１０）装着のための金具の固定に使用できない場合でも、当該すだれ吊り下げ具をサッシ上枠に装着できるようにすること。【解決手段】向かい合う二つの平板部から構成され断面略Ｕ字型をした金具（５）を接着剤を用いてサッシ上枠前面板（３）に接圧固定することにより課題を解決した。【選択図】図３
2007289604.tif 000002
【特許請求の範囲】
【請求項１】
向かい合う二つの平板部から構成され断面略Ｕ字型をした金具（５）を既設サッシ上枠前面板（３）に接着剤で接圧固定することからなる、すだれ吊り下げ具をサッシへ装着するためのサッシ上枠前面板の付加機構。
【発明の詳細な説明】
【技術分野】
【０００１】  本出願は、すだれ、ブラインド等の日除け具（以下、「すだれ」という。）を窓外に取り付けるためのサッシの付加機構に関するものである。さらに詳しくは、基端部に挟持用平板と挟持用ネジから構成される挟持用装着部を有するすだれ吊り下げ具（以下、「すだれ吊り下げ具」という。）をサッシへ装着するためのサッシ上枠前面板の付加機構に関するものである。
【背景技術】
【０００２】  すだれは遮光やプライバシー保護の観点から有用である。しかし、近時建造物の窓にはサッシが多用され、また窓周辺は新建材やコンクリートが使用されるなど、すだれを取り付けるための手懸りの場所が得がたいという問題点がある。このような状況下、例えば、「特許文献１」、「特許文献２」、或いは「特許文献３」等はこの課題に対応できるすだれ吊り下げ具を提案している。これらすだれ吊り下げ具は、その基端部に挟持用平板および挟持用ネジからなる略Ｕ字型をした挟持用装着部を有しており、その挟持用装着部を用いサッシ上枠前面板を直接挟持すればそれにすだれを吊り下げることができるというものである。【０００３】  上記提案に係るすだれ吊り下げ具は着脱自在且つ簡単にサッシへ装着できるというものである。しかし、この提案に係るすだれ吊り下げ具を直接サッシ上枠前面板に装着した場合、１例として図５に示すように、すだれ吊り下げ具（１０）の挟持用装着部（１１）にある挟持用平板（１２）がサッシ上枠前面板（３）の内側にくるため、サッシに横滑り開閉の戸（以下「雨戸」という。）が組み込まれている場合雨戸の上端部と当該挟持用平板（１２）との間に雨戸の滑りに必要な隙間が必要で、その隙間がない場合挟持用平板（１２）が雨戸の開閉の障害となり雨戸の開閉ができないという不都合が発生する。【０００４】  この問題を解決するため、本出願人は「特許文献４」において、すだれ吊り下げ具をサッシへ直接装着するのではなく間接的に装着する方法及びそれに使用する金具の提案をした。その提案では、図６に示すごとくサッシ上枠（１）に断面Ｌ字型をした棒状体金具（１４）をその一つの平板部である装着用平板（１５）がサッシ上枠前面板（３）との間にすだれ吊り下げ具の挟持用装着部の挟持用平板（１２）を挿入できる間隙を確保した状態で固定し、当該金具の装着用平板（１５）にすだれ吊り下げ具を挟持装着する方法である。【０００５】  この提案により、上記のすだれ吊り下げ具の装着が雨戸の開閉の支障になるという問題は解決した。しかしこの提案の方法では、図６から明らかなように金具の固定にサッシ上枠上面板（２）を使用しているのが特徴であり、そのため建造物の構造上サッシ上枠上面板（２）が露出していない場合、或いは窓の構造上金具固定のためにサッシ上枠上面板（２）が使用できない場合などはこの方法を利用することができないことになる。【０００６】
【特許文献１】実開昭５９−１３７１８４号公報
【特許文献２】特開２００２−２０９７１７号公報
【特許文献３】特開２００２−３１５６６８号公報
【特許文献４】特開２００５−２８０７０号公報
【発明の開示】
【発明が解決しようとする課題】
【０００７】  上記の通り、サッシ上枠上面板がすだれ吊り下げ具装着のための金具の固定に使用可能である場合は、上記の提案「特許文献４」による方法により雨戸の開閉に支障なくすだれ吊り下げ具をサッシへ装着できるが、建造物の構造上サッシ上枠上面板が露出していない場合或いは窓の構造上サッシ上枠上面板を金具の固定に使用できない場合は雨戸の開閉に支障なくすだれ吊り下げ具をサッシへ装着できなくなる。斯かる場合でも、すだれ吊り下げ具をサッシ上枠へ装着可能にすることが本発明の課題である。
【課題を解決するための手段】
【０００８】  本願発明はこの課題を解決するためすだれ吊り下げ具をサッシへ装着するための金具の固定に、サッシ上枠上面板を使用せずサッシ上枠前面板（３）のみを使用し、当該金具を接着剤を用いてこれに接圧固定することにより解決した。【０００９】  さらに詳しく説明すれば、図１、図２、及び図３に示すように、向かい合う二つの平板部、すなわちサッシ上枠前面板（３）に接圧固定するための固定用平板部（６）と、すだれ吊り下げ具の基端部にある挟持用装着部で挟持するための装着用平板部（７）とからなる断面略Ｕ字型をした金具（５）をサッシ上枠前面板（３）に接着剤（８）で接圧固定するものである。【００１０】  図１、図３にサッシ上枠上方に上部構造（４）の図示があるが、これは本願発明の説明のために建造物の一部の存在を示したもので本願発明の構成に関係するものでない。【００１１】  当該金具（５）の材質は例えばアルミニウム、鉄鋼、ステンレス等からなるものであり、その平板部の厚みは実用上１〜１．５ｍｍ程度が望ましい。又、断面略Ｕ字型を形成する向かい合う二つの平板部（６）及び（７）は、すだれ吊り下げ具の挟持用装着部（１１）の挟持用平板（１２）を挿入した場合に当該二つの平板部に軽く接触する程度の間隙があることが望ましくその間隙は実用上１．５ｍｍ〜２．５ｍｍ程度が望ましい。又、当該金具の大きさはすだれ吊り下げ具を装着するために必要かつ十分であればよく、実用上すだれ吊り下げ具の基端部は幅が５ｃｍ程度であるので６〜７ｃｍ程度が望ましい。当該金具のこれら材質、平板部の厚み、断面略Ｕ字型を形成する二つの平板部（６）及び（７）の間隙、略Ｕ字の形状、並びにその大きさは本願発明の構成を左右するものでない。【００１２】  サッシ上枠前面板へ金具を固定する手段としては、ネジ（およびナット）を使用する方法及び接着剤を使用する方法が考えられるが、本願発明は、サッシ上枠前面板（３）への金具の固定に接着剤を使用することが特徴である。【００１３】  金具の固定に接着剤を使用すれば、ネジだけによる螺着固定の場合のようにサッシ上枠前面板に十分な厚みが必要ということはなく、またネジ固定の場合は上枠前面板の内側へネジによる突起が出ないようにしなければならないということがあるが、接着剤の使用はサッシ上枠前面板の厚みに関係なく、雨戸の開閉に何の支障の原因にもならず、金具固定作業も極めて簡単という長所がある。【００１４】  一般に二つの物体の接合に接着剤を使用することは特異なことではない。しかし、歴史的に窓サッシが使用されてから今日迄の年月経過、その間、すだれを使用したいという潜在的希求がありながらその課題の解決に接着剤を使用する手法が提案されてこなかったということを考慮すれば、その解決に接着剤を使用することは開拓的手法といいうる。【００１５】  本出願人の上記提案「特許文献４」では、金具の固定のための一つの方法として接着剤を使用する手法を提案している。しかし「特許文献４」では金具固定の接着面はサッシ上枠上面板（２）にあり、接着面へ働くすだれ吊り下げ具からの外力は接着面に対しせん断力として大きく働く。一方本願発明の場合、接着剤による金具の固定はサッシ上枠前面板（３）のみに行っているの��、接着面に働くすだれ吊り下げ具からの外力は接着面に対し剥離力として大きく働く。従って、金具を接着固定する部位、使用する金具の形状、接着面へ働く外力等については、上記提案「特許文献４」と本願発明には大きい相違があり、本願発明のように金具を接着剤によりサッシ上枠前面板へ固定することは上記提案「特許文献４」とは異なる開拓的手法といいうる。【００１６】  使用する接着剤としては、金属の接着に適合する接着剤（以下「金属用接着剤」という。）を使用する。金属用接着剤は金属相互の接合において溶接に近い接着力を示すものがあり、例えば２液型エポキシ系金属用接着剤、２液型ウレタン系金属用接着剤、或いはシリコン系変成金属用接着剤等がある。接着剤としては、十分な接着力を有し使用するサッシ及び金具の材質に適合するものを選択すればよく、接着剤の種別は本発明の構成を左右するものでない。
【発明の効果】
【００１７】  本願発明により、サッシ上枠上面板がすだれ吊り下げ具装着のための金具固定に使用できない場合でもすだれ吊り下げ具をサッシへ装着することが可能になり、すだれを取り付けたいという長期且つ膨大な希求に対し大きく答え得るものと思われる。また本願発明によりすだれ吊り下げが可能になれば、遮熱に有効な屋外遮光が可能となり冷房エネルギー節減という２次的効果も顕著であると云いうる。
【実施するための最良の形態】
本発明の一つの実施形態を説明する。
【００１８】    既設されている窓のサッシ上枠前面板に、左右約９０ｃｍはなれた２箇所に、向かい合う平板部の間隙が２．０ｍｍある厚み１ｍｍのアルミ平板からなる幅約７ｃｍ、高さ約１．５ｃｍの断面Ｕ字型金具を逆Ｕ字の姿態で、２液型エポキシ接着剤（セメダイン社製、品名「ＥＰ−００１」）をサッシ上枠前面板及び当該金具の接着面に塗布しサッシ上枠前面板に接圧し動かないよう上から一時的に粘着紙テープで固定した。一昼夜経過後、当該粘着紙テープを除去し、当該金具の二つの平板部の間隙にすだれ吊り下げ具の基端部にある挟持装着部の挟持用平板を挿入しその挟持用ネジを用いて装着固定した。このすだれ吊り下げ具に重さ約０．８Ｋｇのすだれを取り付け、この状態で晴天日１日の日照時間が少なくとも８時間ある南面で風雨ある自然環境下四季１年を通し経過観察したが金具の接着固定部分には何ら異常は見られなかった。
【図面の簡単な説明】
【００１９】
【図１】本願発明のサッシ上枠前面板・付加機構の側面図。
【図２】本願発明に係る金具の斜視図。
【図３】本願発明に係るサッシ上枠前面板・付加機構にすだれ吊り下げ具を装着した側面図。
【図４】図３の斜視図。
【図５】従来技術、サッシ上枠前面板にすだれ吊り下げ具を直接装着した側面図。
【図６】従来技術、「特許文献４」の方法ですだれ吊り下げ具を装着した側面図。
【符号の説明】
【００２０】  ２  （サッシ）上枠上面板
３  （サッシ）上枠前面板
４  上部構造
５  金具
６  （金具）固定用平板部
７  （金具）装着用平板部
８  接着剤
９  （金具）間隙
１０  すだれ吊り下げ具
１１  （すだれ吊り下げ具）挟持用装着部
１２  （すだれ吊り下げ具）挟持用平板
１３  （すだれ吊り下げ具）挟持用ネジ
１４  （「特許文献４」）金具
１５  （「特許文献４」金具）装着用平板
１６  （「特許文献４」金具）固定用平板
【図１】
2007289604.tif 000003
【図２】
2007289604.tif 000004
【図３】
2007289604.tif 000005
【図４】
2007289604.tif 000006
【図５】
2007289604.tif 000007
【図６】
2007289604.tif 000008